(57)【要約】【課題】従来技術の欠点を無くし、光源利用効率を高め、エネルギを節減することができる反射式照明装置を提供する。【解決手段】反射式照明装置１００ｈは、発光部材４ｈ、反射部材５ｈ及び支持部材を備える。反射部材５ｈは、反射板及び光反射鏡板を有する。反射板と光反射鏡板とは、対向するように支持部材上に配置される。発光部材４ｈは、反射板と光反射鏡板との間に配置される。反射板及び／又は光反射鏡板上に配置された複数の反射鏡をさらに備える。光反射鏡板上に設けられた拡大鏡をさらに備える。光反射鏡板から外側へ向かって透光板が延伸されている。反射板上に配置された付属板５４をさらに備える。付属板５４は、反射部及び／又は透光部を有する。支持部材は透明ランプカバーである。【選択図】図１３Ａ
0003173449.tif 000002
【実用新案登録請求の範囲】
【請求項１】
発光部材、反射部材及び支持部材を備える反射式照明装置であって、
前記反射部材は、反射板及び光反射鏡板を有し、
前記反射板と前記光反射鏡板とは、対向するように前記支持部材上に配置され、
前記発光部材は、前記反射板と前記光反射鏡板との間に配置されることを特徴とする反射式照明装置。
【請求項２】
前記反射板及び／又は前記光反射鏡板上に配置された複数の反射鏡をさらに備えることを特徴とする請求項１に記載の反射式照明装置。
【請求項３】
前記光反射鏡板上に設けられた拡大鏡をさらに備えることを特徴とする請求項１に記載の反射式照明装置。
【請求項４】
前記光反射鏡板から外側へ向かって透光板が延伸されていることを特徴とする請求項１に記載の反射式照明装置。
【請求項５】
前記反射板上に配置された付属板をさらに備えることを特徴とする請求項１に記載の反射式照明装置。
【請求項６】
前記付属板は、反射部及び／又は透光部を有することを特徴とする請求項５に記載の反射式照明装置。
【請求項７】
前記支持部材は透明ランプカバーであることを特徴とする請求項１に記載の反射式照明装置。
【請求項８】
発光部材及び反射部材を備える反射式照明装置であって、
前記発光部材は、前記反射部材中に配置され、
前記反射部材は、槽状構造であり、両面ミラー隔板が内設されていることを特徴とする反射式照明装置。
【請求項９】
前記両面ミラー隔板には、前記発光部材が貫設され、ゴムリングが取り付けられた穿孔が設けられていることを特徴とする請求項８に記載の反射式照明装置。
【請求項１０】
前記反射部材上に配置された複数の反射鏡をさらに備えることを特徴とする請求項８に記載の反射式照明装置。
【請求項１１】
反射部及び／又は透光部を有し、前記反射部材上に配置された付属板をさらに備えることを特徴とする請求項８に記載の反射式照明装置。
【請求項１２】
前記反射部材は、特定波長の光線が透過可能であるか、透光部を有することを特徴とする請求項８に記載の反射式照明装置。
【請求項１３】
前記反射部材を覆う防水透明カバーをさらに備えることを特徴とする請求項８に記載の反射式照明装置。
【請求項１４】
前記発光部材はＶ字状構造であるか三角柱状構造であることを特徴とする請求項８に記載の反射式照明装置。
【請求項１５】
前記発光部材は、反射部及び／又は透光部を有することを特徴とする請求項８に記載の反射式照明装置。
【請求項１６】
前記発光部材の両端にそれぞれ配置されたエミッションランプをさらに備えることを特徴とする請求項８に記載の反射式照明装置。
【請求項１７】
前記エミッションランプは、光反射部を有することを特徴とする請求項１６に記載の反射式照明装置。
【請求項１８】
前記エミッションランプは多面体構造であることを特徴とする請求項１６に記載の反射式照明装置。
【請求項１９】
発光部材及び反射部材を備える反射式照明装置であって、
前記発光部材は、前記反射部材中に配置され、電気コネクタを有する三角柱状構造であり、
前記反射部材は槽状構造であることを特徴とする反射式照明装置。
【請求項２０】
前記発光部材は、特定波長の光線が表面を透過するか特定波長の光線が表面で反射され、或いは反射部及び／又は透光部を有することを特徴とする請求項１９に記載の反射式照明装置。
【請求項２１】
前記発光部材はＬＥＤランプ、白熱電球又は蛍光灯であることを特徴とする請求項１、８又は１９に記載の反射式照明装置。
【考案の詳細な説明】
【技術分野】
【０００１】
本考案は、照明装置に関し、特に、反射式照明装置に関する。
【背景技術】
【０００２】
現在、様々な場所で使用される照明装置は、光源の使用態様が単数かつ単方向であるのが一般的である。そのため、光源の利用率を高めて照明効果を改善するには限界があった。ユーザを満足させる照度を得るためには、取り付ける照明装置の数を増やすことが一般的であるが、この場合、消費電力が増える上に取り付けにかかる費用も増え、必要なコストが多くかかる虞がある。また送電に高電圧を使用する必要があるため、多くの電気エネルギが無駄となる上、事故が発生する危険があり、最悪の場合、広いエリアで停電が起きる虞もある。さらに、従来の円柱状ランプの最大反射面積が側部の曲面表面積に等しく、長さ及び重量が同じ条件下でランプの反射面積を増大させて光源の利用効率を高めることが求められていた。
【考案の概要】
【考案が解決しようとする課題】
【０００３】
従来の照明装置は光源利用率の増大に限界がある上、消費電力が多いため、高電圧により電源供給を行う必要があり、安全性に不安がある。
そのため、本考案の目的は、従来技術の問題点を解決し、光源利用効率を高め、エネルギを節減することができる反射式照明装置を提供することにある。
【課題を解決するための手段】
【０００４】
上記課題を解決するために、本考案の第１の形態によれば、発光部材、反射部材及び支持部材を備える反射式照明装置であって、前記反射部材は、反射板及び光反射鏡板を有し、前記反射板と前記光反射鏡板とは、対向するように前記支持部材上に配置され、前記発光部材は、前記反射板と前記光反射鏡板との間に配置されることを特徴とする反射式照明装置が提供される。
【０００５】
前記反射板及び／又は前記光反射鏡板上に配置された複数の反射鏡をさらに備えることが好ましい。
【０００６】
前記光反射鏡板上に設けられた拡大鏡をさらに備えることが好ましい。
【０００７】
前記光反射鏡板から外側へ向かって透光板が延伸されていることが好ましい。
【０００８】
前記反射板上に配置された付属板をさらに備えることが好ましい。
【０００９】
前記付属板は、反射部及び／又は透光部を有することが好ましい。
【００１０】
前記支持部材は透明ランプカバーであることが好ましい。
【００１１】
上記課題を解決するために、本考案の第２の形態によれば、発光部材及び反射部材を備える反射式照明装置であって、前記発光部材は、前記反射部材中に配置され、前記反射部材は、槽状構造であり、両面ミラー隔板が内設されていることを特徴とする反射式照明装置が提供される。
【００１２】
前記両面ミラー隔板には、前記発光部材が貫設され、ゴムリングが取り付けられた穿孔が設けられていることが好ましい。
【００１３】
前記反射部材上に配置された複数の反射鏡をさらに備えることが好ましい。
【００１４】
反射部及び／又は透光部を有し、前記反射部材上に配置された付属板をさらに備えることが好ましい。
【００１５】
前記反射部材は、特定波長の光線が透過可能であるか、透光部を有することが好ましい。
【００１６】
前記反射部材を覆う防水透明カバーをさらに備えることが好ましい。
【００１７】
前記発光部材はＶ字状構造であるか三角柱状構造であることが好ましい。
【００１８】
前記発光部材は、反射部及び／又は透光部を有することが好ましい。
【００１９】
前記発光部材の両端にそれぞれ配置されたエミッションランプをさらに備えることが好ましい。
【００２０】
前記エミッションランプは、光反射部を有することが好ましい。
【００２１】
前記エミッションランプは多面体構造であることが好ましい。
【００２２】
上記課題を解決するために、本考案の第３の形態によれば、発光部材及び反射部材を備える反射式照明装置であって、前記発光部材は、前記反射部材中に配置され、電気コネクタを有する三角柱状構造であり、前記反射部材は槽状構造であることを特徴とする反射式照明装置が提供される。
【００２３】
前記発光部材は、特定波長の光線が表面を透過するか特定波長の光線が表面で反射され、或いは反射部及び／又は透光部を有することが好ましい。
【００２４】
前記発光部材はＬＥＤランプ、白熱電球又は蛍光灯であることが好ましい。
【考案の効果】
【００２５】
本考案の反射式照明装置は、以下（１）〜（４）の効果を有する。
（１）反射板と、それに対向するように設けられた光反射鏡板との間に発光部材を配置することにより、反射板と光反射鏡板との間で光源の光線を複数回反射させ、輝度を高めて光の照射範囲を広げることができる。
（２）発光部材を両面ミラー隔板中に貫設して槽状構造の反射部材に沿って内側に配置する。反射部材及び両面ミラー隔板の反射により、出射された光線が元の発光部材の光源の数倍の輝度を得て、発光部材を貫設することが可能な両面ミラー隔板に設けられた穿孔にゴムリングを取り付けることにより、発光部材が振動することを防ぐことができる。
（３）三角柱状の発光部材により、円柱状の発光部材よりも最大反射面積を大きくし、発光部材の照射角度を光線の必要に応じて変えて反射面積を増大させることにより、光源利用効率を高めることができる。
（４）反射面積を増大させることにより発光効率を高める。特に、ＬＥＤを照明光源として用いるのに適し、ＬＥＤ点光源により従来より高い輝度を得る。そのため、ソーラエネルギの低電圧電源供給に適し、省エネ・環境保全を達成するとともに、高電圧電気供給のように自然災害の発生などにより大規模な停電が起きても問題が発生する虞がない。
【図面の簡単な説明】
【００２６】
【図１】図１は本考案の第１実施形態による反射式照明装置を示す断面図である。
【図２】図２は本考案の第１実施形態による反射式照明装置の反射板を示す模式図である。
【図３】図３は本考案の第１実施形態による反射式照明装置の光反射鏡板を示す模式図である。
【図４】図４は本考案の第２の実施形態による反射式照明装置を示す断面図である。
【図５】図５は本考案の第２実施形態による反射式照明装置の光反射鏡板を示す模式図である。
【図６】図６は本考案の第３実施形態による反射式照明装置を示す断面図である。
【図７】図７は本考案の第４実施形態による反射式照明装置を示す断面図である。
【図８】図８は本考案の第４実施形態による反射式照明装置の光源を示す配置図である。
【図９】図９は本考案の第５実施形態による反射式照明装置を示す斜視図である。
【図１０】図１０は本考案の第６実施形態による反射式照明装置を示す斜視図である。
【図１１】図１１は本考案の第７実施形態による反射式照明装置を示す斜視図である。
【図１２】図１２は本考案の第８実施形態による反射式照明装置を示す斜視図である。
【図１３Ａ】図１３Ａは本考案の第９実施形態による反射式照明装置を示す斜視図である。
【図１３Ｂ】図１３Ｂは本考案の第９実施形態による反射式照明装置を示す斜視図である。
【図１４Ａ】図１４Ａは本考案の第１０実施形態による反射式照明装置を示す模式図である。
【図１４Ｂ】図１４Ｂは図１４Ａの線Ａ−Ａに沿った断面図である。
【考案を実施するための形態】
【００２７】
以下、本考案の実施形態について図に基づいて説明する。なお、これによって本考案が限定されるものではない。
【００２８】
（第１実施形態）
図１〜図３を参照する。図１〜図３に示すように、本考案の第１実施形態による反射式照明装置１００は、少なくとも支持部材１、発光部材２及び反射部材３から構成される。反射部材３は、反射板３１及び光反射鏡板３２を含む。反射板３１及び光反射鏡板３２は、支持部材１上に配置され、反射板３１と光反射鏡板３２とは対向されている。発光部材２は、反射板３１と光反射鏡板３２との間に配置されている。
【００２９】
支持部材１は、主桿１１、第１の支桿１２、第２の支桿１３及び光ロッド１４を含む。第１の支桿１２及び第２の支桿１３は、主桿１１の両端にそれぞれ設けられ、第１の支桿１２の端部には、主桿１１に対して平行に配置された光ロッド１４が設けられている。
【００３０】
図２を参照する。図２に示すように、反射板３１は、複数の反射鏡３１１を含むとともに、光ロッド１４を貫設させる中心孔３１２が中心部に設けられている。図３を参照する。図３に示すように、光反射鏡板３２の中心部には貫通孔３２１が設けられている。拡大鏡１８は、光反射鏡板３２の貫通孔３２１の縁部に、嵌合方式などで固定されている。
【００３１】
図１を再び参照する。図１に示すように、反射板３１の中心孔３１２に光ロッド１４が貫設され、光反射鏡板３２が支持部材１の第２の支桿１３の端部に固定され、発光部材２が光ロッド１４の端部に配置されている。
【００３２】
第１実施形態の発光部材２はＬＥＤランプであるが、他の実施形態では白熱電球又は蛍光灯でもよい。また発光部材２は、ＬＥＤランプ又は白熱電球を覆うランプカバーを含んでもよい。
【００３３】
発光部材２の光線は、反射板３１の複数の反射鏡３１１により外側に屈折され、反射板３１の真正面に配置された拡大鏡１８に照射された光線が合焦された後、拡大鏡１８の前方に向かって直接照射され、光反射鏡板３２上の拡大鏡１８の周辺部に照射された光線が反射板３１に照射された後、外側に向かって照射される。このように発光部材２の光線が複数回反射された後に外側に向かって照射されるため発光部材２の輝度が高まる。
【００３４】
（第２実施形態）
図４及び図５を参照する。図４及び図５に示すように、本考案の第２実施形態による反射式照明装置１００ａは、第１実施形態と基本構造が略同じであるが、支持部材１ａが透明ランプカバーであり、反射板３１及び光反射鏡板３２ａが支持部材１ａの両端にそれぞれ配置され、光反射鏡板３２ａが複数の反射鏡３２２ａを含む点が異なる。光反射鏡板３２ａの貫通孔３２１ａの縁部上には拡大鏡１８が配置され、この拡大鏡１８は、嵌合方式により光反射鏡板３２ａの貫通孔３２１ａの縁部上に固定される。支持部材１ａ、反射板３１、光反射鏡板３２ａの接合箇所には、密封・防水可能な密閉空間Ｓ１が形成されている。第２実施形態の支持部材１ａの形状は、桶状であり、反射板３１及び光反射鏡板３２ａを接合させる開口が設けられているが、他の実施形態では、開口を有する立方体などの形状にしてもよい。光ロッド１４は、反射板３１の中心孔３１２を介し、密閉空間Ｓ１に挿入される。
【００３５】
密閉空間Ｓ１内に配置する発光部材２の光照射方式は、第１実施形態と略同じであるが、真正面に位置する拡大鏡１８上に照射した光線が合焦された後、拡大鏡１８の真正面に直接照射される他、反射板３１及び光反射鏡板３２ａにより屈折された光線が支持部材１ａを通って外側に照射される点が異なる。第２実施形態の反射式照明装置１００ａは、完全に密封されて防水状態であるため、屋外又は湿度が高い環境でも使用することができる。
【００３６】
（第３実施形態）
図６を参照する。図６に示すように、本考案の第３実施形態による反射式照明装置１００ｂは、第１実施形態の反射式照明装置１００の基本構造と略同じであるが、支持部材１ｂの光ロッド１４を上に有する底板１５と、底板１５の周囲に間隔をおいて周設された複数の第３の支桿１６と、光反射鏡板３２の外周に取り付けられて外側に延伸され、第３の支桿１６の端部に設けられた複数の透光板１７と、を含む。反射板３１は、支持部材１の底板１５上に取り付けられ、反射板３１の中心孔３１２に光ロッド１４が挿設される。
【００３７】
第３実施形態の反射式照明装置は、その発光部材の光出射方式が第１実施形態と略同じである。その特徴は、反射板３１の真正面に対応するように設置した透光板１７により発光部材２からの光線を直接外側に向けることにより、目が不快に感じることを防ぐ。
【００３８】
（第４実施形態）
図７及び図８を参照する。図７及び図８に示すように、本考案の第４実施形態による反射式照明装置１００ｃは、第１実施形態の反射式照明装置１００と基本構造が略同じであるが、光を反射させる反射部３３１と、光を透過させる透光部３３２と、を有する付属板３３が反射板３１の中心部に設置されている点が異なる。透光部３３２は、平面レンズ、凸レンズ又は凹レンズでもよい。付属板３３は、以下数種類の態様を含んでもよい。例えば、特定波長の光線を付属板３３に透過させたり付属板３３により反射させたりしてもよいし、或いは、付属板３３が透明板又は反射板でもよい。第２の支桿１３の端部には、主桿１１に対して平行な光ロッド１４ｃが配置され、光反射鏡板３２ｃ上に配置された複数の発光部材２ｃから光線が出射される（図８参照）。本実施形態の光照射の特徴は、光反射鏡板３２ｃ上に設置された複数の発光部材２ｃから出射された光線が付属板３３により光反射鏡板３２ｃに反射された後、反射板３１に反射されて外側に屈折される。このように発光部材２ｃを３回反射させることにより、発光部材の光照射効果を高めることができる。付属板３３の透光部３３２を用いた場合、発光部材２ｃからの光線又は光反射鏡板３２ｃにより反射された光線が反射板３１に照射される際の焦点距離が変わり、反射板３１から出射される光の照射効果を変えることができる。
【００３９】
（第５実施形態）
図９を参照する。図９に示すように、本考案の第５実施形態による反射式照明装置１００ｄは、発光部材４及び反射部材５を含む。反射部材５は、溝状構造であり、特定波長の光線を透過させることが可能である。発光部材４は、反射部材５中に設置され、特定波長の光線が発光部材４内部から出射され、発光部材４の殻体の表面で反射される。反射部材５内には両面ミラー隔板６が設けられ、両面ミラー隔板６上には、発光部材４の挿設に用いる穿孔６１が設けられている。反射部材５の両端には、片側反射鏡面端シール板５１が設けられている。穿孔６１には、発光部材４を固定して振動することを防ぐために用いるゴムリング６２が取り付けられている。また、反射式照明装置１００ｄは、反射部材５を覆う防水透明カバー７をさらに含んでもよい。
【００４０】
第５実施形態の発光部材４は、蛍光灯であり、ランプカバー及び発光ユニットを含んでもよい。発光ユニットは、ＬＥＤランプ及び／又は白熱電球であり、ランプカバーの中に設置する。
【００４１】
第５実施形態の反射部材５は、長尺状かつ階段状の槽構造であるが、発光部材４の構造形状に対応したその他適宜な形状でもよい。
【００４２】
（第６実施形態）
図９及び図１０を参照する。図９及び図１０に示すように、本考案の第６実施形態による反射式照明装置１００ｅは、反射式照明装置１００ｄに類似した複数の構成要素（例えば、発光部材４ｅ、反射部材５ｅ、両面ミラー隔板６ｅ及び防水透明カバー７ｅ）を含むが、反射式照明装置１００ｄの片側反射鏡面端シール板５１は含まず、並行に配列されて透明ボックス７１ｅ中に配置されている。この反射式照明装置１００ｅは、大型の広告用ランプボックスとして用いることができる。
【００４３】
（第７実施形態）
図９及び図１１を参照する。図９及び図１１に示すように、本考案の第７実施形態による反射式照明装置１００ｆは、反射式照明装置１００ｄに類似した複数の構成要素（例えば、発光部材４ｆ、反射部材５ｆ、両面ミラー隔板６ｆ）を含むが、反射式照明装置１００ｄの片側反射鏡面端シール板５１及び防水透明カバー７は含まず、環状に配列されて反射式照明装置１００ｆを構成する。この反射式照明装置１００ｆは、その周囲を３６０度照らすことができる照明ランプ柱として用いることができる。発光部材４ｆの輝度は、複数の反射部材５ｆ及び両面ミラー隔板６ｆの反射により高めることができる。
【００４４】
（第８実施形態）
図９及び図１２を参照する。図９及び図１２に示すように、本考案の第８実施形態による反射式照明装置１００ｇは、反射式照明装置１００ｄに類似した複数の構成要素（例えば、発光部材４ｇ、反射部材５ｇ、両面ミラー隔板６ｇ）を含むが、反射式照明装置１００ｄの片側反射鏡面端シール板５１及び防水透明カバー７は含まず、環状に配列して下方に向かうに従い互いに近づくように傾いた発光部材４ｇと、両面ミラー隔板６ｇとが配列されている。この反射式照明装置１００ｇは、斜め下に光線を出射してその周囲を３６０度照らすことができる広場などで用いる照明ランプとして用いることができる。
【００４５】
（第９実施形態）
図１３Ａ及び図１３Ｂを参照する。図１３Ａ及び図１３Ｂに示すように、本考案の第９実施形態による反射式照明装置１００ｈは、第５実施形態の反射式照明装置１００ｄと基本構造が略同じであるが、発光部材４ｈが三角柱状構造であり、電気コネクタ４１を上に有し、両面ミラー隔板６ｈの穿孔６１ｈ中に発光部材４ｈを貫設する点が異なる。この穿孔６１ｈは、三角形状であり、発光部材４ｈが振動することを防ぐために用いる三角形状のゴムリング６１ｈが嵌合される。
【００４６】
図１３Ｂを参照する。図１３Ｂに示すように、三角柱状の発光部材４ｈの両端には、電気コネクタ４１がそれぞれ設けられている。特定波長の光線は、発光部材４ｈの表面を透過したり、発光部材４ｈの表面で反射したりし、或いは発光部材４ｈに、光線を透過させる透光部４２と、光線を反射させる反射部４３と、が設けられたりしてもよい。反射部材５ｈは、光線を透過させる透光部５２を有する。第９実施形態の透光部４２は、光線を透過させるランプカバーであり、覆ったＬＥＤランプ４４からの光線を透過させることができる。発光部材４ｈは、白熱電球又は蛍光灯でもよい。第９実施形態の反射部４３は、発光部材４ｈの殻体の外表面上に設けられ、ＬＥＤランプ４４の周囲に設けられた反射鏡である。反射部材５ｈ上には、透光部５２の周りに設けられた複数の反射鏡５３が設けられている。この透光部５２は、透光レンズ又は透光レンズに類似した物でもよい。また、反射部材５ｈ上には付属板５４が設けられている。付属板５４は、光線を反射させる反射部５４１と、光線を透過させる透光部５４２と、を有する。透光部５４２は、平面レンズ、凸レンズ又は凹レンズでもよい。付属板５４は、以下数種類の態様を含んでもよい。例えば、特定波長の光線は、付属板５４を透過したり付属板５４により反射されたりしてもよいし、或いは付属板５４が透明板又は反射板でもよい。この構成により、発光部材４ｈからの光線は、発光部材４ｈと反射部材５ｈとの間で複数回反射された後に出射され、輝度を高めることができる。
【００４７】
三角柱状の発光部材４ｈは、従来の円柱形状ランプと異なり、ランプの照射角度を光線の必要に応じて調整し、反射面積を増大させて光源利用効率を高めることができる。この構造は特に省エネ・環境保全のＬＥＤに適し、ＬＥＤの点光源により照明輝度及び範囲を向上させることができる。
【００４８】
（第１０実施形態）
図１４Ａ及び図１４Ｂを参照する。図１４Ａ及び図１４Ｂに示すように、本考案の第９実施形態による反射式照明装置１００ｉは、第５実施形態の反射式照明装置１００ｄと基本構造が略同じであり、発光部材４ｉがＶ字状構造である点が異なる。発光部材４ｉは、反射部材５ｉに取り付けられ、両面ミラー隔板６ｉ上に嵌合させるゴムリング６２ｉの穿孔６１ｉ中に貫設させる。発光部材４ｉの両端には、対称的に発光部材４ｉの両端に向かって光線を出射するエミッションランプ８が設けられている。このエミッションランプ８は光反射部８１を有する。第１０実施形態のエミッションランプ８は、三角錐構造であり、光反射部８１は複数の反射ミラーから構成される。エミッションランプ８は、例えば、五面体、六面体などの多面体構造でもよい。多面体構造のエミッションランプ８の特長は、光線を照射させる箇所の必要に応じ、多面体光源の発射面の面角度を変えることができる点にある。反射部材５ｉは光反射槽９内に取り付けられている。光反射槽９は、防水透明カバー７ｉが外側に配置されて完全に密封されている。第１０実施形態の防水透明カバー７ｉの形状は、外側に突設された３つの弧形面状のカバー体構造を有するが、光反射槽９を完全に密封することができるその他の構造形状を有してもよい。光反射槽９の頂部には、光反射板９１が設けられている。光反射板９１上には、反射式照明装置１００ｄを吊下げる係合部材９１１が設けられている。第１０実施形態の反射部材５ｉ及び光反射槽９は、長尺状かつ階段状であるが、その他適宜な形状からなってもよい。反射部材５ｉ及び光反射槽９の開口部の展開角度は、１８０度より小さければ何度に設定してもよい。
【００４９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００５０】
１  支持部材
１ａ  支持部材
１ｂ  支持部材
１ｃ  支持部材
２  発光部材
２ｃ  発光部材
３  反射部材
３ａ  反射部材
３ｂ  反射部材
３ｃ  反射部材
４  発光部材
４ｅ  発光部材
４ｆ  発光部材
４ｇ  発光部材
４ｈ  発光部材
４ｉ  発光部材
５  反射部材
５ｅ  反射部材
５ｆ  反射部材
５ｇ  反射部材
５ｈ  反射部材
５ｉ  反射部材
６  両面ミラー隔板
６ｅ  両面ミラー隔板
６ｆ  両面ミラー隔板
６ｉ  両面ミラー隔板
６ｈ  両面ミラー隔板
７  防水透明カバー
７ｅ  防水透明カバー
７ｈ  防水透明カバー
７ｉ  防水透明カバー
８  エミッションランプ
９  光反射槽
１１  主桿
１２  第１の支桿
１３  第２の支桿
１４  光ロッド
１４ｃ  光ロッド
１５  底板
１６  第３の支桿
１７  透光板
１８  拡大鏡
３１  反射板
３２  光反射鏡板
３２ａ  光反射鏡板
３２ｃ  光反射鏡板
３３  付属板
４１  電気コネクタ
４２  透光部
４３  反射部
４４  ＬＥＤランプ
５１  片側反射鏡面端シール板
５２  透光部
５３  反射鏡
５４  付属板
６１  穿孔
６１ｈ  穿孔
６１ｉ  穿孔
６２  ゴムリング
６２ｈ  ゴムリング
６２ｉ  ゴムリング
７１ｅ  透明ボックス
８１  光反射部
９１  光反射板
１００  反射式照明装置
１００ａ  反射式照明装置
１００ｂ  反射式照明装置
１００ｃ  反射式照明装置
１００ｄ  反射式照明装置
１００ｅ  反射式照明装置
１００ｆ  反射式照明装置
１００ｇ  反射式照明装置
１００ｈ  反射式照明装置
１００ｉ  反射式照明装置
３１１  反射鏡
３１２  中心孔
３２１  貫通孔
３２１ａ  貫通孔
３２２ａ  反射鏡
３３１  反射部
３３２  透光部
５４１  反射部
５４２  透光部
９１１  係合部材
Ｓ１  密閉空間
【図１】
0003173449.tif 000003
【図２】
0003173449.tif 000004
【図３】
0003173449.tif 000005
【図４】
0003173449.tif 000006
【図５】
0003173449.tif 000007
【図６】
0003173449.tif 000008
【図７】
0003173449.tif 000009
【図８】
0003173449.tif 000010
【図９】
0003173449.tif 000011
【図１０】
0003173449.tif 000012
【図１１】
0003173449.tif 000013
【図１２】
0003173449.tif 000014
【図１３Ａ】
0003173449.tif 000015
【図１３Ｂ】
0003173449.tif 000016
【図１４Ａ】
0003173449.tif 000017
【図１４Ｂ】
0003173449.tif 000018
【手続補正書】
【提出日】平成23年12月7日(2011.12.7)
【手続補正１】
【補正対象書類名】実用新案登録請求の範囲
【補正対象項目名】全文
【補正方法】変更
【補正の内容】
【実用新案登録請求の範囲】
【請求項１】
発光部材、反射部材及び支持部材を備える反射式照明装置であって、
前記反射部材は、反射板及び光反射鏡板を有し、
前記反射板と前記光反射鏡板とは、対向するように前記支持部材上に配置され、
前記発光部材は、前記反射板と前記光反射鏡板との間に配置されることを特徴とする反射式照明装置。
【請求項２】
前記反射板及び／又は前記光反射鏡板上に配置された複数の反射鏡をさらに備えることを特徴とする請求項１に記載の反射式照明装置。
【請求項３】
前記光反射鏡板上に設けられた拡大鏡をさらに備えることを特徴とする請求項１に記載の反射式照明装置。
【請求項４】
前記光反射鏡板から外側へ向かって透光板が延伸されていることを特徴とする請求項１に記載の反射式照明装置。
【請求項５】
前記反射板上に配置された付属板をさらに備えることを特徴とする請求項１に記載の反射式照明装置。
【請求項６】
前記付属板は、反射部及び／又は透光部を有することを特徴とする請求項５に記載の反射式照明装置。
【請求項７】
前記支持部材は透明ランプカバーであることを特徴とする請求項１に記載の反射式照明装置。
【請求項８】
前記発光部材はＬＥＤランプ、白熱電球又は蛍光灯であることを特徴とする請求項１〜7のいずれか一項に記載の反射式照明装置。